【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
インクが吐出される複数の吐出ノズルが列状に配置されているノズルプレートを有するインクジェット記録ヘッドと、
前記ノズルプレートと対向し、前記吐出ノズル及び前記ノズルプレートの少なくとも一方に対して吸引力を作用する吸引ノズルとを具備し、
前記吸引ノズルは、
列状に配置された前記複数の吐出ノズルのノズル列方向と直交する方向の両側部に該ノズル列方向に延設したリブと、
前記ノズルプレートと対向する対向面に形成された吸引開部と、
前記吸引力を作用させるためのエアーを前記吸引開口部内に取り込む取り入れ部と、
前記取り入れ部で取り込まれた前記エアーを吸引する吸引部と、を有し、
前記取り入れ部と前記吸引部とは、前記複数の吐出ノズルを挟んで相対向して設けられ、前記吸引開口部に取り込まれた前記エアーは、前記吸引部に向かって前記吐出ノズルから吐出される前記インクの吐出方向を横断する方向に流れる、
ことを特徴とするヘッドメンテナンス装置。
【請求項２】
前記取り入れ部側の前記リブには、切欠き部が形成され、前記取り入れ部は、前記吸引ノズルと前記インクジェット記録ヘッドとを当接させた際に前記切欠き部と前記インクジェット記録ヘッドとの間に形成される開口部から前記吸引開口部内に前記エアーを取り込むことを特徴とする請求項１に記載のヘッドメンテナンス装置。
【請求項３】
前記吸引開口部の前記ノズル列方向と直交する方向の一方の端部に前記吸引部を設け、他方の端部に前記取り入れ部を設け、前記取り入れ部は、前記吸引ノズルの下面から前記吸引開口部に連通する貫通孔から前記エアーと取り込むことを特徴とする請求項１に記載のヘッドメンテナンス装置。
【請求項４】
前記吸引開口部の前記ノズル列方向と直交する方向の一方の端部に前記吸引部を設け、他方の端部に前記取り入れ部を設け、前記取り入れ部は、前記吸引ノズルの側面から前記吸引開口に連通する貫通孔から前記エアーと取り込むことを特徴とする請求項１に記載のヘッドメンテナンス装置。
【請求項５】
インクが吐出される複数の吐出ノズルが列状に配置されているノズルプレートを有するインクジェット記録ヘッドと、
前記ノズルプレートと対向し、前記吐出ノズル及び前記ノズルプレートの少なくとも一方に対して吸引力を作用する吸引ノズルと、を具備し、
前記吸引ノズルは、
前記ノズルプレートと対向する対向面に形成された凹状の吸引開口と、
前記吸引力を作用させるためのエアーを前記吸引開口内に取り込む取り入れ口と、
前記吸引開口内に形成され、前記取り入れ口で取り込まれた前記エアーを吸引する複数の吸引口と、を有し、
前記吸引開口の前記複数の吐出ノズルのノズル列方向と直交する方向の一方の端部に前記複数の吸引口を設け、他方の端部に前記取り入れ口を設けた、
ことを特徴とするヘッドメンテナンス装置。
【請求項６】
前記取り入れ口は、前記複数の吸引口と同数設けられ、相対配置されていることを特徴とする請求項５に記載のヘッドメンテナンス装置。
【請求項７】
前記吸引ノズルは、前記取り入れ口が設けられた側に前記ノズル列方向に延存するリブをさらに設け、当該リブに前記取り入れ口が形成されていることを特徴とする請求項５、又は６に記載のヘッドメンテナンス装置。
【請求項８】
前記吸引ノズルを前記ノズル列方向に走査移動させる移動部をさらに有し、前記移動部によって前記吸引ノズルを前記ノズル列方向に移動させながら前記吸引開口によって順次覆われた前記吐出ノズル及び前記ノズルプレートの少なくとも一方から前記インクを吸引することを特徴とする請求項１、又は５に記載のヘッドメンテナンス装置。
【手続補正２】
【補正対象書類名】明細書
【補正対象項目名】０００８
【補正方法】変更
【補正の内容】
【０００８】
請求項１記載の発明は、インクが吐出される複数の吐出ノズルが列状に配置されているノズルプレートを有するインクジェット記録ヘッドと、ノズルプレートと対向し、吐出ノズル及びノズルプレートの少なくとも一方に対して吸引力を作用する吸引ノズルとを具備し、吸引ノズルは、列状に配置された複数の吐出ノズルのノズル列方向と直交する方向の両側部に該ノズル列方向に延設したリブと、ノズルプレートと対向する対向面に形成された吸引開部と、吸引力を作用させるためのエアーを吸引開口部内に取り込む取り入れ部と、取り入れ部で取り込まれたエアーを吸引する吸引部と、を有し、取り入れ部と吸引部とは、複数の吐出ノズルを挟んで相対向して設けられ、吸引開口部に取り込まれたエアーは、吸引部に向かって吐出ノズルから吐出されるインクの吐出方向を横断する方向に流れる、ことを特徴としている。
【手続補正３】
【補正対象書類名】明細書
【補正対象項目名】０００９
【補正方法】変更
【補正の内容】
【０００９】
請求項２記載の発明は、請求項１記載の発明において、取り入れ部側のリブには、切欠き部が形成され、取り入れ部は、吸引ノズルとインクジェット記録ヘッドとを当接させた際に切欠き部とインクジェット記録ヘッドとの間に形成される開口部から吸引開口部内にエアーを取り込むことを特徴としている。
【手続補正４】
【補正対象書類名】明細書
【補正対象項目名】００１０
【補正方法】変更
【補正の内容】
【００１０】
請求項３記載の発明は、請求項１記載の発明において、吸引開口部のノズル列方向と直交する方向の一方の端部に吸引部を設け、他方の端部に取り入れ部を設け、取り入れ部は、吸引ノズルの下面から吸引開口部に連通する貫通孔からエアーと取り込むことを特徴としている。
【手続補正５】
【補正対象書類名】明細書
【補正対象項目名】００１１
【補正方法】変更
【補正の内容】
【００１１】
請求項４記載の発明は、請求項1記載の発明において、吸引開口部のノズル列方向と直交する方向の一方の端部に吸引部を設け、他方の端部に取り入れ部を設け、取り入れ部は、吸引ノズルの側面から吸引開口に連通する貫通孔からエアーと取り込むことを特徴としている。
【手続補正６】
【補正対象書類名】明細書
【補正対象項目名】００１２
【補正方法】変更
【補正の内容】
【００１２】
請求項５記載の発明は、インクが吐出される複数の吐出ノズルが列状に配置されているノズルプレートを有するインクジェット記録ヘッドと、ノズルプレートと対向し、吐出ノズル及びノズルプレートの少なくとも一方に対して吸引力を作用する吸引ノズルと、を具備し、吸引ノズルは、ノズルプレートと対向する対向面に形成された凹状の吸引開口と、吸引力を作用させるためのエアーを吸引開口内に取り込む取り入れ口と、吸引開口内に形成され、取り入れ口で取り込まれたエアーを吸引する複数の吸引口と、を有し、吸引開口の複数の吐出ノズルのノズル列方向と直交する方向の一方の端部に複数の吸引口を設け、他方の端部に取り入れ口を設けたことを特徴としている。
【手続補正７】
【補正対象書類名】明細書
【補正対象項目名】００１３
【補正方法】変更
【補正の内容】
【００１３】
請求項６記載の発明は、請求項５記載の発明において、取り入れ口は、複数の吸引口と同数設けられ、相対配置されていることを特徴としている。
【手続補正８】
【補正対象書類名】明細書
【補正対象項目名】００１４
【補正方法】変更
【補正の内容】
【００１４】
請求項７記載の発明は、請求項５又は６記載の発明において、吸引ノズルは、取り入れ口が設けられた側にノズル列方向に延存するリブをさらに設け、当該リブに取り入れ口が形成されていることを特徴としている。
【手続補正９】
【補正対象書類名】明細書
【補正対象項目名】００１５
【補正方法】変更
【補正の内容】
【００１５】
請求項８記載の発明は、請求項１又は５記載の発明において、吸引ノズルをノズル列方向に走査移動させる移動部をさらに有し、移動部によって吸引ノズルをノズル列方向に移動させながら吸引開口によって順次覆われた吐出ノズル及びノズルプレートの少なくとも一方からインクを吸引することを特徴としている。